(57)【要約】【課題】  ＡＶデータ記録再生装置およびＡＶデータ記録再生方法に関し、空き記録領域が所定の値を下回ると、記録媒体に記録されているＡＶデータファイルを削除することができ、かつ、削除した後に記憶媒体に空き容量ができた場合にそのＡＶデータファイルを復元することができる。【解決手段】  記録媒体１００に対して新たにＡＶデータを記録する際に記録媒体１００の空き記憶容量が所定の値を下回った場合、管理情報中の削除フラグ情報を確認し、削除フラグ情報が該当するＡＶデータファイルが記録媒体１００から削除されていないことを示した場合、ＡＶデータ特定情報が示すＡＶデータファイルを削除すると共に、削除フラグ情報を該当するＡＶデータファイルが記録媒体１００から削除された状態を示す値に書き換える。【選択図】  図１
2006254168.tif 000002
【特許請求の範囲】
【請求項１】
映像データおよび音声データのいずれかまたは両方を格納するＡＶデータファイルを、各々のＡＶデータファイルを管理するための管理情報が記録された記録媒体に対して記録再生を行うＡＶデータ記録再生装置であって、
映像信号を撮像して画像データを生成する撮像手段と、画像データを処理してＡＶデータを生成する画像データ処理手段と、ＡＶデータをＡＶデータファイルとして前記記録媒体に記録する記録再生処理手段と、前記記録媒体から再生された前記管理情報を処理する管理情報処理手段とを備え、
前記管理情報は少なくとも、管理するＡＶデータファイルを特定するためのＡＶデータ特定情報と、該当するＡＶデータファイルが前記記録媒体から削除されたか否かを識別する削除フラグ情報を含み、
前記管理情報処理手段は、前記記録媒体に対して新たにＡＶデータを記録する際に前記記録媒体の空き記憶容量が所定の値を下回った場合、前記管理情報中の前記削除フラグ情報を確認し、前記削除フラグ情報が該当するＡＶデータファイルが前記記録媒体から削除されていないことを示した場合、前記ＡＶデータ特定情報が示すＡＶデータファイルを削除すると共に、前記削除フラグ情報を該当するＡＶデータファイルが前記記録媒体から削除された状態を示す値に書き換えることを特徴とするＡＶデータ記録再生装置。
【請求項２】
前記管理情報は、該当するＡＶデータファイルがオリジナルデータであるのかコピーデータであるのかを識別するオリジナルフラグ情報をさらに含み、
前記管理情報処理部は、前記記録媒体に対して新たにＡＶデータを記録する際に前記記録媒体の空き記憶容量が所定の値を下回った場合、前記管理情報中の前記オリジナルフラグ情報および前記削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていないことを示した場合、前記ＡＶデータ特定情報が示すＡＶデータファイルを削除すると共に、前記削除フラグ情報を該当するＡＶデータファイルが前記記録媒体から削除された状態を示す値に書き換えることを特徴とする請求項１記載のＡＶデータ記録再生装置。
【請求項３】
映像データおよび音声データのいずれかまたは両方を格納するＡＶデータファイルを、各々のＡＶデータファイルを管理するための管理情報が記録された記録媒体に対して記録再生を行うＡＶデータ記録再生装置であって、
オリジナルＡＶデータファイル格納手段と、オリジナルＡＶデータファイルを前記記録媒体に記録する記録再生処理手段と、前記記録媒体から再生された前記管理情報を処理する管理情報処理手段とを備え、
前記管理情報は少なくとも、管理するＡＶデータファイルを特定するためのＡＶデータ特定情報と、該当するＡＶデータファイルが前記記録媒体から削除されたか否かを識別する削除フラグ情報を含み、
前記管理情報処理手段は、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に前記オリジナルＡＶデータファイル格納手段から対応するオリジナルＡＶデータファイルを読み出して前記記録媒体に記録すると共に、前記削除フラグ情報を該当するＡＶデータファイルが前記記録媒体から削除されていない状態を示す値に書き換えることを特徴とするＡＶデータ記録再生装置。
【請求項４】
前記管理情報は、該当するＡＶデータファイルがオリジナルデータであるのかコピーデータであるのかを識別するオリジナルフラグ情報をさらに含み、
前記管理情報処理部は、前記管理情報中の前記オリジナルフラグ情報および前記削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に前記オリジナルＡＶデータファイル格納手段から対応するＡＶデータファイルを読み出して前記記録媒体に記録すると共に、前記削除フラグ情報を該当するＡＶデータファイルが前記記録媒体から削除されていない状態を示す値に書き換えることを特徴とする請求項３記載のＡＶデータ記録再生装置。
【請求項５】
請求項１記載のＡＶデータ記録再生装置とデジタルＩＦで接続して、デジタルＩＦ経由で前記記録媒体に対して記録再生を行うＡＶデータ記録再生装置であって、
デジタルＩＦ手段と、前記デジタルＩＦ手段経由で前記記録媒体から再生された前記管理情報を処理する管理情報処理手段と、オリジナルＡＶデータファイル格納手段とを備え、
前記管理情報処理手段は、前記管理情報の前記削除フラグ情報が該当するＡＶデータファイルが前記記録媒体から削除されていることを示し、かつ、前記記録媒体に所定以上の空き記憶領域が存在する場合、前記ＡＶデータ特定情報を元に前記オリジナルＡＶデータファイル格納手段から対応するオリジナルＡＶデータファイルを読み出して前記デジタルＩＦ手段経由で前記記録媒体に記録すると共に、前記削除フラグ情報を該当するＡＶデータファイルが前記記録媒体から削除されていない状態を示す値に書き換えることを特徴とするＡＶデータ記録再生装置。
【請求項６】
請求項２記載のＡＶデータ記録再生装置とデジタルＩＦで接続して、デジタルＩＦ経由で前記記録媒体に対して記録再生を行うＡＶデータ記録再生装置であって、
デジタルＩＦ手段と、前記デジタルＩＦ手段経由で前記記録媒体から再生された前記管理情報を処理する管理情報処理手段と、オリジナルＡＶデータファイル格納手段とを備え、
前記管理情報処理手段は、前記管理情報中の前記オリジナルフラグ情報および前記削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に前記オリジナルＡＶデータファイル格納手段から対応するＡＶデータファイルを読み出して前記デジタルＩＦ手段経由で前記記録媒体に記録すると共に、前記削除フラグ情報を該当するＡＶデータファイルが前記記録媒体から削除されていない状態を示す値に書き換えることを特徴とするＡＶデータ記録再生装置。
【請求項７】
映像データおよび音声データのいずれかまたは両方を格納するＡＶデータファイルを、各々のＡＶデータファイルを管理するための管理情報が記録された記録媒体に対して記録再生を行うＡＶデータ記録再生方法であって、
前記記録媒体に対して新たにＡＶデータを記録する際に前記記録媒体の空き記憶容量が所定の値を下回った場合、前記管理情報中の削除フラグ情報を確認し、前記削除フラグ情報が該当するＡＶデータファイルが前記記録媒体から削除されていないことを示した場合、前記管理情報中のＡＶデータ特定情報が示すＡＶデータファイルを削除するステップと、
前記削除フラグ情報を該当するＡＶデータファイルが前記記録媒体から削除された状態を示す値に書き換えるステップと、
前記削除フラグ情報が該当するＡＶデータファイルが前記記録媒体から削除されていることを示し、かつ、前記記録媒体に所定以上の空き記憶領域が存在する場合、前記ＡＶデータ特定情報を元に対応するオリジナルＡＶデータファイルを読み出して前記記録媒体に記録するステップと、
前記削除フラグ情報を該当するＡＶデータファイルが前記記録媒体から削除されていない状態を示す値に書き換えるステップと、
を含むことを特徴とするＡＶデータ記録再生方法。
【請求項８】
映像データおよび音声データのいずれかまたは両方を格納するＡＶデータファイルを、各々のＡＶデータファイルを管理するための管理情報が記録された記録媒体に対して記録再生を行うＡＶデータ記録再生方法であって、
前記記録媒体に対して新たにＡＶデータを記録する際に前記記録媒体の空き記憶容量が所定の値を下回った場合、前記管理情報中のオリジナルフラグ情報および削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていないことを示した場合、前記管理情報中のＡＶデータ特定情報が示すＡＶデータファイルを削除するステップと、
前記削除フラグ情報を該当するＡＶデータファイルが前記記録媒体から削除された状態を示す値に書き換えるステップと、
前記管理情報中の前記オリジナルフラグ情報および前記削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に対応するＡＶデータファイルを読み出して前記記録媒体に記録するステップと、
前記削除フラグ情報を該当するＡＶデータファイルが前記記録媒体から削除されていない状態を示す値に書き換えるステップと、
を含むことを特徴とするＡＶデータ記録再生方法。
【発明の詳細な説明】
【技術分野】
【０００１】
本発明は、映像データおよび音声データのいずれかまたは両方を格納するＡＶデータを、記録媒体に対して記録するＡＶデータ記録再生装置およびＡＶデータ記録再生方法に関する。
【背景技術】
【０００２】
近年、１インチ／１．８インチの小型ハードディスクドライブ（以下、小型ＨＤＤと記載する）やフラッシュメモリの大容量化や低価格化に伴い、小型ＨＤＤやフラッシュメモリを記録媒体としたさまざまなモバイルＡＶ機器が市場に登場してきた。
【０００３】
また、それらモバイルＡＶ機器の中には、記録媒体に記録された映像や音声を再生するＡＶプレーヤ機能や、静止画を撮影するデジタルスチルカメラ機能、動画を撮影するカムコーダ機能等の複数の機能を実装するものも多く存在し、その傾向は、記録媒体の大容量化と共に強くなってきている。
【０００４】
それら、ＡＶプレーヤ機能とカムコーダ機能やデジタルスチルカメラ機能（以下、カムコーダ機能やデジタルスチルカメラ機能の総称としてカメラ機能と記載する）を有する複合機（以下、ＡＶ複合機と記載する）における共通課題として、記録媒体の残量管理の問題がある。
【０００５】
ユーザーがＡＶ複合機のＡＶプレーヤ機能を使用する際には、ＡＶ複合機の記録媒体にはなるべく多くの映像／音声コンテンツが格納されていることが望ましく、コンテンツが多ければ多いほどユーザーは長時間コンテンツを楽しむことができ、また気分に応じて好みのコンテンツを選ぶことが可能になる。極論すれば、記録媒体の容量いっぱいにコンテンツが格納されていることが望ましい。
【０００６】
一方で、ユーザーがＡＶ複合機のカメラ機能を使用する際には、記録媒体にＡＶデータを記録するための空き容量はできるだけ多く残っていることが望ましく、記憶容量が多く残っていればいるほどユーザーは記憶容量を気にしながら撮影対象を選別するという煩わしさから開放される。極論すれば、記録媒体の容量は空の方が望ましい。
【０００７】
特許文献１には、記録媒体に記録したコンテンツの各々に対する優先順位付けを行い、記録媒体の空き記録領域がなくなった時点で、優先順位情報を元に優先順位の低いコンテンツから削除することで、新たなＡＶデータを記録するための記憶領域を確保する映像録画再生装置が開示されている。
【特許文献１】特願２００１−１０８８９７号公報
【発明の開示】
【発明が解決しようとする課題】
【０００８】
従来のＡＶ複合機においては、ユーザーが豊富なコンテンツを楽しむことができるように、記録媒体の容量いっぱいにコンテンツが格納されていることを望む一方、カメラ機能を使用しての撮影においては記録媒体に空が多く残っている方が望ましいという、矛盾する課題を有している。
【０００９】
また、特許文献１の発明では、一度コンテンツを削除したら、後に記憶媒体に空き容量ができたとしてもそのコンテンツを復元することができないという問題を有している。
【００１０】
本発明は、ユーザーがＡＶ複合機のカメラ機能を使用する際には、記録媒体の容量を気にすることなく撮影が可能で、かつ、ＡＶ複合機のＡＶプレーヤ機能を使用する際には、カメラ機能で使用している記憶領域以外の領域をコンテンツで満たすことができ、しかも空き記録領域を確保するために一度コンテンツを削除した後に、記憶媒体に空き容量ができた場合にそのコンテンツを復元することができるＡＶデータ記録再生装置を提供することを目的としている。
【課題を解決するための手段】
【００１１】
本発明の請求項１のＡＶデータ記録再生装置は、映像データおよび音声データのいずれかまたは両方を格納するＡＶデータファイルと、各々のＡＶデータファイルを管理するための管理情報が記録された記録媒体に対して記録再生を行うものであって、映像信号を撮像して画像データを生成する撮像手段と、画像データを処理してＡＶデータを生成する画像データ処理手段と、ＡＶデータをＡＶデータファイルとして前記記録媒体に記録する記録再生処理手段と、前記記録媒体から再生された前記管理情報を処理する管理情報処理手段とを備え、前記管理情報は少なくとも、管理するＡＶデータファイルを特定するためのＡＶデータ特定情報と、該当するＡＶデータファイルが前記記録媒体から削除されたか否かを識別する削除フラグ情報を含み、前記管理情報処理手段は、前記記録媒体に対して新たにＡＶデータを記録する際に前記記録媒体の空き記憶容量が所定の値を下回った場合、前記管理情報中の前記削除フラグ情報を確認し、前記削除フラグ情報が該当するＡＶデータファイルが前記記録媒体から削除されていないことを示した場合、前記ＡＶデータ特定情報が示すＡＶデータファイルを削除すると共に、前記削除フラグ情報を該当するＡＶデータファイルが前記記録媒体から削除された状態を示す値に書き換えることを特徴とする。
【００１２】
本発明の請求項１のＡＶデータ記録再生装置によれば、ＡＶデータ記録再生装置のカメラ機能を使用中に、空き記録領域が所定の値を下回り、記録媒体に記録されているＡＶデータファイルを削除した場合でも、削除フラグ情報により削除したＡＶデータファイルの履歴を記録媒体上に記録しておくことができる。
【００１３】
本発明の請求項２のＡＶデータ記録再生装置は、請求項１において、前記管理情報が、該当するＡＶデータファイルがオリジナルデータであるのかコピーデータであるのかを識別するオリジナルフラグ情報をさらに含み、前記管理情報処理部は、前記記録媒体に対して新たにＡＶデータを記録する際に前記記録媒体の空き記憶容量が所定の値を下回った場合、前記管理情報中の前記オリジナルフラグ情報および前記削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていないことを示した場合、前記ＡＶデータ特定情報が示すＡＶデータファイルを削除すると共に、前記削除フラグ情報を該当するＡＶデータファイルが前記記録媒体から削除された状態を示す値に書き換えることを特徴とする。
【００１４】
本発明の請求項２のＡＶデータ記録再生装置によれば、ＡＶデータ記録再生装置のカメラ機能を使用中に、空き記録領域が所定の値を下回り、記録媒体に記録されているＡＶデータファイルを削除する場合に、オリジナルフラグ情報を判別することによって、該当ＡＶデータファイルがその記録媒体以外にオリジナルファイルが存在するコピーファイルであるのか、コピーが存在しないオリジナルファイルであるのかを確認し、コピーファイルのみを削除することができる。
【００１５】
本発明の請求項３のＡＶデータ記録再生装置は、映像データおよび音声データのいずれかまたは両方を格納するＡＶデータファイルと、各々のＡＶデータファイルを管理するための管理情報が記録された記録媒体に対して記録再生を行うものであって、オリジナルＡＶデータファイル格納手段と、オリジナルＡＶデータファイルを前記記録媒体に記録する記録再生処理手段と、前記記録媒体から再生された前記管理情報を処理する管理情報処理手段とを備え、前記管理情報は少なくとも、管理するＡＶデータファイルを特定するためのＡＶデータ特定情報と、該当するＡＶデータファイルが前記記録媒体から削除されたか否かを識別する削除フラグ情報を含み、前記管理情報処理手段は、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に前記オリジナルＡＶデータファイル格納手段から対応するオリジナルＡＶデータファイルを読み出して前記記録媒体に記録すると共に、前記削除フラグ情報を該当するＡＶデータファイルが前記記録媒体から削除されていない状態を示す値に書き換えることを特徴とする。
【００１６】
本発明の請求項３のＡＶデータ記録再生装置によれば、記録媒体の管理情報中のＡＶデータ特定情報と削除フラグを識別することで、空き記憶容量の不足時に削除されたＡＶデータファイルの特定が可能となり、記録媒体に空き記憶容量ができた時点で、ＡＶデータ特定情報が示すＡＶデータファイルをオリジナルデータファイル格納手段から読み出して記録媒体に再び記録することにより、データ削除前の状態に復元することができる。
【００１７】
本発明の請求項４のＡＶデータ記録再生装置は、請求項３において、前記管理情報が、該当するＡＶデータファイルがオリジナルデータであるのかコピーデータであるのかを識別するオリジナルフラグ情報をさらに含み、前記管理情報処理部は、前記管理情報中の前記オリジナルフラグ情報および前記削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に前記オリジナルＡＶデータファイル格納手段から対応するＡＶデータファイルを読み出して前記記録媒体に記録すると共に、前記削除フラグ情報を該当するＡＶデータファイルが前記記録媒体から削除されていない状態を示す値に書き換えることを特徴とする。
【００１８】
本発明の請求項４のＡＶデータ記録再生装置によれば、オリジナルフラグ情報を識別することで、記録媒体に空き記憶容量ができた時点で、ＡＶデータ特定情報が示すＡＶデータファイルをオリジナルデータファイル格納手段から読み出して記録媒体に再び記録する際に、オリジナルファイルが存在するＡＶデータファイルのみを選択してオリジナルデータファイル格納手段から読み出して記録媒体に再び記録することが可能となり、オリジナルＡＶデータファイルが元々存在しないＡＶデータファイルに対する余分な検索処理を回避することができる。
【００１９】
本発明の請求項５のＡＶデータ記録再生装置は、請求項１記載のＡＶデータ記録再生装置とデジタルＩＦで接続して、デジタルＩＦ経由で前記記録媒体に対して記録再生を行うものであって、デジタルＩＦ手段と、前記デジタルＩＦ手段経由で前記記録媒体から再生された前記管理情報を処理する管理情報処理手段と、オリジナルＡＶデータファイル格納手段とを備え、前記管理情報処理手段は、前記管理情報の前記削除フラグ情報が該当するＡＶデータファイルが前記記録媒体から削除されていることを示し、かつ、前記記録媒体に所定以上の空き記憶領域が存在する場合、前記ＡＶデータ特定情報を元に前記オリジナルＡＶデータファイル格納手段から対応するオリジナルＡＶデータファイルを読み出して前記デジタルＩＦ手段経由で前記記録媒体に記録すると共に、前記削除フラグ情報を該当するＡＶデータファイルが前記記録媒体から削除されていない状態を示す値に書き換えることを特徴とする。
【００２０】
本発明の請求項５のＡＶデータ記録再生装置によれば、記録媒体の管理情報中のＡＶデータ特定情報と削除フラグを識別することで、空き記憶容量の不足時に削除されたＡＶデータファイルの特定が可能となり、記録媒体に空き記憶容量ができた時点で、ＡＶデータ特定情報が示すＡＶデータファイルをオリジナルデータファイル格納手段から読み出して記録媒体に再び記録することにより、データ削除前の状態に復元することができる。
【００２１】
本発明の請求項６のＡＶデータ記録再生装置は、請求項２記載のＡＶデータ記録再生装置とデジタルＩＦで接続して、デジタルＩＦ経由で前記記録媒体に対して記録再生を行うものであって、デジタルＩＦ手段と、前記デジタルＩＦ手段経由で前記記録媒体から再生された前記管理情報を処理する管理情報処理手段と、オリジナルＡＶデータファイル格納手段とを備え、前記管理情報処理手段は、前記管理情報中の前記オリジナルフラグ情報および前記削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に前記オリジナルＡＶデータファイル格納手段から対応するＡＶデータファイルを読み出して前記デジタルＩＦ手段経由で前記記録媒体に記録すると共に、前記削除フラグ情報を該当するＡＶデータファイルが前記記録媒体から削除されていない状態を示す値に書き換えることを特徴とする。
【００２２】
本発明の請求項６のＡＶデータ記録再生装置によれば、オリジナルフラグ情報を識別することで、記録媒体に空き記憶容量ができた時点で、ＡＶデータ特定情報が示すＡＶデータファイルをオリジナルデータファイル格納手段から読み出して記録媒体に再び記録する際に、オリジナルファイルが存在するＡＶデータファイルのみを選択してオリジナルデータファイル格納手段から読み出して記録媒体に再び記録することが可能となり、オリジナルＡＶデータファイルが元々存在しないＡＶデータファイルに対する余分な検索処理を回避することができる。
【００２３】
本発明の請求項７のＡＶデータ記録再生方法は、映像データおよび音声データのいずれかまたは両方を格納するＡＶデータファイルを、各々のＡＶデータファイルを管理するための管理情報が記録された記録媒体に対して記録再生を行うものであって、前記記録媒体に対して新たにＡＶデータを記録する際に前記記録媒体の空き記憶容量が所定の値を下回った場合、前記管理情報中の削除フラグ情報を確認し、前記削除フラグ情報が該当するＡＶデータファイルが前記記録媒体から削除されていないことを示した場合、前記管理情報中のＡＶデータ特定情報が示すＡＶデータファイルを削除するステップと、前記削除フラグ情報を該当するＡＶデータファイルが前記記録媒体から削除された状態を示す値に書き換えるステップと、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に対応するオリジナルＡＶデータファイルを読み出して前記記録媒体に記録するステップと、前記削除フラグ情報を該当するＡＶデータファイルが前記記録媒体から削除されていない状態を示す値に書き換えるステップとを含むことを特徴とする。
【００２４】
本発明の請求項８のＡＶデータ記録再生方法は、映像データおよび音声データのいずれかまたは両方を格納するＡＶデータファイルを、各々のＡＶデータファイルを管理するための管理情報が記録された記録媒体に対して記録再生を行うものであって、前記記録媒体に対して新たにＡＶデータを記録する際に前記記録媒体の空き記憶容量が所定の値を下回った場合、前記管理情報中のオリジナルフラグ情報および削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていないことを示した場合、前記管理情報中のＡＶデータ特定情報が示すＡＶデータファイルを削除するステップと、前記削除フラグ情報を該当するＡＶデータファイルが前記記録媒体から削除された状態を示す値に書き換えるステップと、前記管理情報中の前記オリジナルフラグ情報および前記削除フラグ情報を確認し、前記オリジナルフラグ情報が該当するＡＶデータファイルがコピーデータであることを示し、かつ、前記削除フラグ情報が該当するＡＶデータファイルが前記記録媒体から削除されていることを示し、かつ、前記記録媒体に所定以上の空き記憶領域が存在する場合、前記ＡＶデータ特定情報を元に対応するＡＶデータファイルを読み出して前記記録媒体に記録するステップと、前記削除フラグ情報を該当するＡＶデータファイルが前記記録媒体から削除されていない状態を示す値に書き換えるステップとを含むことを特徴とする。
【００２５】
本発明の請求項７，８のＡＶデータ記録再生方法によれば、空き記録領域が所定の値を下回り、記録媒体に記録されているＡＶデータファイルを削除した場合でも、削除フラグ情報により削除したＡＶデータファイルの履歴を記録媒体上に記録しておくことができる。また、空き記録領域が所定の値を下回り、記録媒体に記録されているＡＶデータファイルを削除する場合に、オリジナルフラグ情報を判別することによって、該当ＡＶデータファイルがその記録媒体以外にオリジナルファイルが存在するコピーファイルであるのか、コピーが存在しないオリジナルファイルであるのかを確認し、コピーファイルのみを削除することができる。また、記録媒体の管理情報中のＡＶデータ特定情報と削除フラグを識別することで、空き記憶容量の不足時に削除されたＡＶデータファイルの特定が可能となり、記録媒体に空き記憶容量ができた時点で、ＡＶデータ特定情報が示すＡＶデータファイルを読み出して記録媒体に再び記録することにより、データ削除前の状態に復元することができる。さらに、オリジナルフラグ情報を識別することで、記録媒体に空き記憶容量ができた時点で、ＡＶデータ特定情報が示すＡＶデータファイルを読み出して記録媒体に再び記録する際に、オリジナルファイルが存在するＡＶデータファイルのみを選択して読み出して記録媒体に再び記録することが可能となり、オリジナルＡＶデータファイルが元々存在しないＡＶデータファイルに対する余分な検索処理を回避することができる。
【発明の効果】
【００２６】
本発明は、ＡＶデータ記録再生装置のカメラ機能を使用中に、空き記録領域が所定の値を下回ると、記録媒体に記録されているＡＶデータファイルを削除することで、ユーザーがカメラ機能を使用する際には、記録媒体の容量を気にすることなく撮影が可能で、かつ、ＡＶプレーヤ機能を使用する際には、カメラ機能で使用している記憶領域以外の領域をコンテンツで満たすことができる。しかも、削除フラグ情報により削除したＡＶデータファイルの履歴を記録媒体上に記録しておくことができ、削除されたＡＶデータファイルの特定が可能となり、一度コンテンツを削除した後に記憶媒体に空き容量ができた場合にそのコンテンツを復元することができる。
【発明を実施するための最良の形態】
【００２７】
（実施の形態１）
本発明の実施の形態１について図１ないし図４を参照しながら説明する。
【００２８】
図１はＡＶデータ記録再生装置のブロック図である。図１において、１００は記録媒体、１０１は撮像手段、１０２は画像データ処理手段、１０３は記録再生処理手段、１０４は管理情報処理手段である。
【００２９】
図１のＡＶデータ記録再生装置の記録時の動作を説明する。撮像手段１０１から出力された画像データは、画像データ処理手段１０２で符号化されてＡＶデータとして記録再生処理手段１０３へ出力される。記録再生処理手段１０３では、記録媒体１００にＡＶデータを記録するための空き記録容量があるか否かの判別を行い、空き記録容量が所定値以上であれば記録可能と判断をしてＡＶデータファイルとして記録を行う。
【００３０】
記録再生処理手段１０３の判断の結果、記録媒体１００の空き記録容量が所定値以下であった場合は、管理情報処理手段１０４にて、予め記録媒体１００から読み出した管理情報を元に削除可能なＡＶデータファイルを選択し、記録媒体１００から削除し、空き記録容量が所定値以上になれば、新たなＡＶデータの記録を開始する。その後、ＡＶデータの記録を継続する中で、再び記録媒体の空き記録容量が所定の値を下回ったら、再度管理情報を元に記録媒体１００のＡＶデータファイルの削除を行い、記録を継続する。
【００３１】
管理情報を参照して削除するＡＶデータファイルを決定する方法について、図２〜４および表１〜３を用いて説明する。
【００３２】
図２〜４において、点線２１０で囲まれたデータツリーは、記録媒体１００に記録されているデータのディレクトリとファイルの構造を示している。ｒｏｏｔディレクトリの子ディレクトリとしてａｕｄｉｏディレクトリとｖｉｄｅｏディレクトリが存在し、それぞれのディレクトリの中にＡＶデータファイルが格納されている。２０１〜２０５はそれぞれ音声データを含むＡＶデータファイルを示し、２０６〜２０８は映像データを含むＡＶデータファイルを示している。
【００３３】
表１〜３は、ＡＶデータファイル２０１〜２０８に関する管理情報を示している。また、管理情報は点線２１０で囲まれたディレクトリ構造では図示していないが、記録媒体１００に記録されているものとする。管理情報は、ＡＶデータファイルを特定するためのＡＶデータ特定情報と、対応するＡＶデータファイルが別の記録媒体にオリジナルデータが存在するコピーファイルであるのかコピーが存在しないオリジナルファイルであるのかを識別するためのオリジナルフラグ情報と、対応するＡＶデータが記録媒体から削除されたファイルであるか否かを識別するための削除フラグ情報を格納している。
【００３４】
以下では、別の記録媒体に同じ内容のファイルが存在しないファイルをオリジナルファイル、別の記録媒体に同じ内容のファイルが存在するファイルをコピーファイルと記載する。
【００３５】
ＡＶデータ特定情報は、記録媒体１００におけるデータツリーの絶対パスで該当するＡＶデータファイルを特定している。また、オリジナルフラグ情報が１の場合はオリジナルファイルであることを示し、オリジナルフラグ情報が０の場合はコピーファイルであることを示している。さらに、削除フラグ情報が１の場合は、該当するＡＶデータファイルが記録媒体１００から削除されたファイルであることを示し、削除フラグ情報が０の場合は、該当するＡＶデータファイルが記録媒体１００から削除されていないことを示している。
【００３６】
【表１】
2006254168.tif 000003
【００３７】
表１の管理情報のＡＶデータ特定情報は、ＡＶデータファイル２０１〜２０６の記録媒体１００におけるデータツリー上の記録位置を示している。オリジナルフラグ情報は、ＡＶデータファイル２０１，２０２，２０４，２０５がコピーファイルであることを示し（オリジナルフラグ情報＝０）、さらに、ＡＶデータファイル２０３，２０６はオリジナルファイルである（オリジナルフラグ情報＝１）ことを示している。削除フラグ情報は、ＡＶデータファイル２０１〜２０６全てが記録媒体１００に記録されており（削除フラグ情報＝０）、削除されていないことを示している。
【００３８】
次に、図２の記録状態の記録媒体１００に対して、図１のＡＶデータ記録装置の撮像手段１０１で撮影して生成したＡＶデータを新たなＡＶデータファイルとして記録する際に、記録媒体１００の空き記憶容量が所定の値以下であった場合の動作について、図２および図３を用いて説明する。
【００３９】
記録媒体１００の空き記憶容量が所定の値以下であった場合、管理情報処理手段１０４は表１の管理情報のオリジナルフラグ情報および削除フラグ情報から、削除可能なファイルを判別する。まず、オリジナルフラグ情報でオリジナルファイルで無いこと（オリジナルフラグ情報＝０）と、削除フラグ情報で未削除のファイルであること（削除フラグ情報＝０）を判別し、ＡＶデータファイル２０１を削除する。新たなＡＶデータファイルの記録を開始した後に、さらに記憶容量の不足が発生した場合は、同様の判別を行い、ＡＶデータファイル２０２を削除する。さらに、新たなＡＶデータファイルの記録が終了した時点で、新たなＡＶデータファイルに関する情報を管理情報に登録する。
【００４０】
図２の記録状態の記録媒体１００に対してここまで説明した処理を行った後の、記録媒体１００のデータ記録状態および管理情報の状態を図３および表２を用いて説明する。
【００４１】
【表２】
2006254168.tif 000004
【００４２】
図２の状態から図３の状態への変更点は、新たなＡＶデータファイル２０７を記録するために、ＡＶデータファイル２０１，２０２を削除して、表２の管理情報の該当する削除フラグ情報を、ファイルが削除していることを示す状態（削除フラグ情報＝１）へ変更している。さらに、新たに記録したＡＶデータファイル２０７に対するＡＶデータ特定情報を登録し、対応するオリジナルフラグ情報および削除フラグ情報を設定している。ここで、ＡＶデータファイル２０７に対応するオリジナルフラグ情報をオリジナルファイルであることを示す状態（オリジナルファイル情報＝１）として設定する理由は、ＡＶデータファイル２０７は、図１のＡＶデータ記録装置の撮像手段１０１で撮影して生成したＡＶデータファイルであり、他の記録媒体にコピーファイルが存在しないデータであるためである。
【００４３】
次に、図３の記録状態の記録媒体１００に対してさらに新たなＡＶデータファイルを記録する際に、記録媒体１００の空き記憶容量が所定の値以下であった場合の動作について、図３および図４を用いて説明する。
【００４４】
記録媒体１００の空き記憶容量が所定の値以下であった場合、管理情報処理手段１０４は表２の管理情報のオリジナルフラグ情報および削除フラグ情報から、削除可能なファイルを判別する。まず、オリジナルフラグ情報でオリジナルファイルで無いこと（オリジナルフラグ情報＝０）と、削除フラグ情報で未削除のファイルであること（削除フラグ情報＝０）を判別し、ＡＶデータファイル２０４を削除する。ここでＡＶデータファイル２０３を削除しない理由は、オリジナルフラグ情報でオリジナルファイルであること（オリジナルフラグ情報＝１）を識別したためである。新たなＡＶデータファイルの記録を開始した後に、さらに記憶容量の不足が発生した場合は、同様の判別を行い、ＡＶデータファイル２０５を削除する。さらに、新たなＡＶデータファイルの記録が終了した時点で、新たなＡＶデータファイルに関する情報を管理情報に登録する。
【００４５】
図３の記録状態の記録媒体１００に対してここまで説明した処理を行った後の、記録媒体１００のデータ記録状態および管理情報の状態を図４および表３を用いて説明する。
【００４６】
【表３】
2006254168.tif 000005
【００４７】
図３の状態から図４の状態への変更点は、新たなＡＶデータファイル２０８を記録するために、ＡＶデータファイル２０４，２０５を削除して、表３の管理情報の該当する削除フラグ情報を、ファイルが削除していることを示す状態（ファイル削除情報フラグ＝１）へ変更している。さらに、新たに記録したＡＶデータファイル２０８に対するＡＶデータ特定情報を登録し、対応するオリジナルフラグ情報および削除フラグ情報を設定している。ここで、ＡＶデータファイル２０８に対応するオリジナルフラグ情報をオリジナルファイルであることを示す状態（オリジナルファイル情報＝１）として設定する理由は、ＡＶデータファイル２０７の場合の説明と同様の理由である。
【００４８】
このように構成されたＡＶデータ記録再生装置およびＡＶデータ記録再生方法によると、カメラ機能を使用中に、空き記録領域が所定の値を下回ると、記録媒体１００に記録されているＡＶデータファイルを削除することで、ユーザーがカメラ機能を使用する際には、記録媒体１００の容量を気にすることなく撮影が可能で、かつ、ＡＶプレーヤ機能を使用する際には、カメラ機能で使用している記憶領域以外の領域をコンテンツで満たし、豊富なコンテンツを楽しむことができる。
【００４９】
また、ＡＶデータ記録再生装置のカメラ機能を使用中に、空き記録領域が所定の値を下回り、記録媒体１００に記録されているＡＶデータファイルを削除した場合でも、削除フラグ情報により削除したＡＶデータファイルの履歴を記録媒体１００上に記録しておくことができ、削除されたＡＶデータファイルの特定が可能となり、一度コンテンツを削除した後に記憶媒体１００に空き容量ができた場合にそのコンテンツを復元することができる。
【００５０】
さらに、記録媒体１００に記録されているＡＶデータファイルを削除する場合に、オリジナルフラグ情報を判別することによって、該当ＡＶデータファイルがその記録媒体以外にオリジナルファイルが存在するコピーファイルであるのか、コピーが存在しないオリジナルファイルであるのかを確認し、コピーファイルのみを削除することができ、一度コンテンツを削除した後に記憶媒体１００に空き容量ができた場合に、オリジナルファイルが存在することで確実にそのコンテンツを復元することができる。
【００５１】
（実施の形態２）
本発明の実施の形態２について図５ないし図７を参照しながら説明する。
【００５２】
図５はＡＶデータ記録再生装置のブロック図である。図５において、５０１はオリジナルＡＶデータファイル格納手段、５０２は記録再生処理手段、５０３は管理情報処理手段である。
【００５３】
また、１００は着脱可能な記録媒体であり、本実施の形態では図１のＡＶデータ記録再生装置でＡＶデータを記録した記録媒体１００と同一のものとして説明を行う。記録媒体１００が装着されると管理情報処理手段５０３は、記録再生処理手段５０２が記録媒体１００から再生した管理情報を取得して管理情報の判別を行う。
【００５４】
記録媒体１００の空き記録容量が所定値以上であった場合は、記録媒体１００から読み出した管理情報を元にオリジナルＡＶデータファイル格納手段５０１に格納されているオリジナルＡＶデータファイルの中で、記録媒体１００にコピー可能なＡＶデータファイルを検出し、記録再生処理手段５０２はその検出結果に基づいてオリジナルＡＶデータファイル格納手段５０１からＡＶデータファイルを読み出して記録媒体１００に記録する。
【００５５】
管理情報を参照してコピー可能なＡＶデータファイルを判別する方法について、図６，７および表４，５を用いて説明する。
【００５６】
図６において、点線２１０で囲まれたデータツリーは、記録媒体１００に記録されているデータのディレクトリとファイルの構造を示している。ｒｏｏｔディレクトリの子ディレクトリとしてａｕｄｉｏディレクトリとｖｉｄｅｏディレクトリが存在し、それぞれのディレクトリの中にＡＶデータファイルが格納されている。２０１〜２０５はそれぞれ音声データを含むＡＶデータファイルを示している。
【００５７】
【表４】
2006254168.tif 000006
【００５８】
表４は、ＡＶデータファイル２０１〜２０５に関する管理情報を示している。管理情報の削除フラグ情報によれば、ＡＶデータファイル２０１，２０２，２０４，２０５は、過去に記録媒体１００に記録されていたが、現在は削除されていることが判別可能である。
【００５９】
また、管理情報は点線２１０で囲まれたディレクトリ構造では図示していないが、記録媒体１００に記録されているものとする。さらに、図６の記録状態で、記録媒体１００には所定量以上の空き記憶容量が存在するものとする。
【００６０】
管理情報処理手段５０３は、管理情報のオリジナルフラグ情報および削除フラグ情報から、記録媒体１００にコピー可能なＡＶデータファイルを判別する。まず、オリジナルフラグ情報でコピーファイルであること（オリジナルフラグ情報＝０）と、削除フラグ情報で削除済みのファイルであること（削除フラグ情報＝１）を判別し、ＡＶデータ特定情報のファイル名からオリジナルＡＶデータファイル格納手段５０１に格納されているＡＶデータファイルを特定する。ＡＶデータファイルの特定ができたら、該当するＡＶデータファイルを記録再生処理手段５０２経由で記録媒体１００に書き込み、管理情報の削除フラグ情報を未削除状態（削除フラグ情報＝０）に書き換える。
【００６１】
さらに、書き込み後の記録媒体１００の空き記憶容量が所定値以上であれば同じことを繰り返し、記録媒体１００の空き記憶容量が所定値以下になるか、”コピーファイルであり（オリジナルフラグ情報＝０）かつ削除済みファイル（削除フラグ情報＝１）”の条件を満たすＡＶデータファイルがなくなるまで上記の処理を繰り返す。
【００６２】
図６の記録状態の記録媒体１００に対してここまで説明した処理を行った後の、記録媒体１００のデータ記録状態および管理情報の状態を図７および表５を用いて説明する。
【００６３】
【表５】
2006254168.tif 000007
【００６４】
図６の状態から図７の状態への変更点は、削除履歴が残っていたＡＶデータファイル２０１，２０２，２０４，２０５がオリジナルＡＶデータ格納手段からコピーされることにより復元し、それに伴い管理情報の削除フラグ情報も全て削除されていない状態（削除フラグ情報＝０）に書き換えられている。
【００６５】
このように構成されたＡＶデータ記録再生装置およびＡＶデータ記録再生方法によると、記録媒体１００の管理情報中のＡＶデータ特定情報と削除フラグを識別することで、空き記憶容量の不足時に削除されたＡＶデータファイルの特定が可能となり、記録媒体１００に空き記憶容量ができた時点で、ＡＶデータ特定情報が示すＡＶデータファイルをオリジナルデータファイル格納手段５０１から読み出して記録媒体１００に再び記録することにより、データ削除前の状態に復元することができる。
【００６６】
また、オリジナルフラグ情報を識別することで、記録媒体１００に空き記憶容量ができた時点で、ＡＶデータ特定情報が示すＡＶデータファイルをオリジナルデータファイル格納手段５０１から読み出して記録媒体１００に再び記録する際に、オリジナルファイルが存在するＡＶデータファイルのみを選択してオリジナルデータファイル格納手段５０１から読み出して記録媒体１００に再び記録することが可能となり、オリジナルＡＶデータファイルが元々存在しないＡＶデータファイルに対する余分な検索処理を回避することができる。
【００６７】
さらに、本実施の形態のＡＶデータ記録再生装置と、実施の形態１のＡＶデータ記録再生装置（図１）とを組み合わせることで、実施の形態１のＡＶデータ記録再生装置のカメラ機能を使用中に、記録媒体１００の空き記録領域が所定の値を下回った場合に、オリジナルファイルが別途存在するＡＶデータファイルのみを削除すると共に、管理情報を更新して記録媒体１００に記録しておき、後に記録媒体１００を本実施の形態のＡＶデータ記録再生装置に装着して、実施の形態１のＡＶデータ記録再生装置で削除したＡＶデータファイルを、本実施の形態のＡＶデータ記録再生装置のオリジナルＡＶデータファイル格納手段５０１から自動的に検索して記録媒体１００にコピーすることにより、ユーザーがカメラ機能を使用する際には、記録媒体１００の容量を気にすることなく撮影が可能で、かつ、ＡＶプレーヤ機能を使用する際には、カメラ機能で使用している記憶領域以外の領域をコンテンツで満たすことができるとともに、一度削除したＡＶデータファイルを削除前の状態に復元することができる。
【００６８】
（実施の形態３）
本発明の実施の形態３について図８を参照しながら説明する。
【００６９】
図８において、８００は第１のＡＶデータ記録再生装置のブロック図を示しており、８０１はオリジナルＡＶデータファイル格納手段、８０２はデジタルＩＦ手段、８０３は管理情報処理手段である。また、８０４は実施の形態１のＡＶデータ記録再生装置（図１）に相当する第２のＡＶデータ記録再生装置のブロック図を示しており、８０５はデジタルＩＦ手段である。なお、ＩＦはインターフェイスのことである。
【００７０】
第１のＡＶデータ記録再生装置８００のデジタルＩＦ手段８０２と、第２のＡＶデータ記録再生装置８０４のデジタルＩＦ手段８０５とが接続されている。
【００７１】
第１，２のＡＶデータ記録再生装置８００，８０４がデジタルＩＦ手段８０２，８０５経由で接続されると、管理情報処理手段８０３はデジタルＩＦ手段８０２経由で記録媒体１００から管理情報を取得して管理情報の判別を行う。
【００７２】
記録媒体１００の空き記録容量が所定以上である場合は、記録媒体１００から読み出した管理情報を元にオリジナルＡＶデータファイル格納手段８０１に格納されているオリジナルＡＶデータファイルの中で、記録媒体１００にコピー可能なＡＶデータファイルを検出し、デジタルＩＦ手段８０２はその検出結果に基づいてオリジナルＡＶデータファイル格納手段８０１からＡＶデータファイルを読み出してデジタルＩＦ経由で記録媒体１００に記録する。
【００７３】
なお、記録媒体１００の空き記憶容量が所定値以下となった場合にＡＶデータファイルを削除する方法は実施の形態１と同様であり、また管理情報を参照してコピー可能なＡＶデータファイルを判別する方法については実施の形態２と同様であり、それぞれ説明を省略する。
【００７４】
このように構成されたＡＶデータ記録再生装置およびＡＶデータ記録再生方法によると、カメラ機能を使用中に、空き記録領域が所定の値を下回ると、記録媒体１００に記録されているＡＶデータファイルを削除することで、ユーザーがカメラ機能を使用する際には、記録媒体１００の容量を気にすることなく撮影が可能で、かつ、ＡＶプレーヤ機能を使用する際には、カメラ機能で使用している記憶領域以外の領域をコンテンツで満たし、豊富なコンテンツを楽しむことができる。
【００７５】
また、記録媒体１００の管理情報中のＡＶデータ特定情報と削除フラグを識別することで、空き記憶容量の不足時に削除されたＡＶデータファイルの特定が可能となり、記録媒体１００に空き記憶容量ができた時点で、ＡＶデータ特定情報が示すＡＶデータファイルをオリジナルデータファイル格納手段８０１から読み出して記録媒体１００に再び記録することにより、データ削除前の状態に復元することができる。
【００７６】
さらに、オリジナルフラグ情報を識別することで、記録媒体１００に空き記憶容量ができた時点で、ＡＶデータ特定情報が示すＡＶデータファイルをオリジナルデータファイル格納手段８０１から読み出して記録媒体１００に再び記録する際に、オリジナルファイルが存在するＡＶデータファイルのみを選択してオリジナルデータファイル格納手段８０１から読み出して記録媒体１００に再び記録することが可能となり、オリジナルＡＶデータファイルが元々存在しないＡＶデータファイルに対する余分な検索処理を回避することができる。
【００７７】
なお、本実施の形態で使用した図２〜４のデータツリー構造や、ＡＶデータ特定情報としてデータツリー絶対パスで記載する方法は一例であり、ＡＶデータ特定情報によりＡＶデータファイルの特定が可能な構成になっていれば、別のデータツリー構造や別の形式のＡＶデータ特定情報で記録されている記録媒体にも本発明を適用できる。
【００７８】
また、本実施の形態では、管理情報としてオリジナルフラグ情報を設けて、オリジナルファイルとコピーファイルを判別する方法について説明したが、本発明はこれに限定するものではなく、例えば、管理情報ではコピーファイルのみを登録して管理する規定を予め設けておけば、オリジナルフラグ情報がなくてもコピーファイルとオリジナルファイルを判別することができる。
【００７９】
また、本実施の形態では、記録媒体の空き記憶容量が所定値以下の場合に、ＡＶデータファイルを管理情報の上から順番に削除する例について説明したが、本発明はこれに限定するものではなく、例えば別途削除の優先順位付けを示す情報を管理情報として記録しておき、その優先順位に従って削除する等であってもよい。
【００８０】
さらに、実施の形態２，３では、オリジナルＡＶデータファイル格納手段に格納されているＡＶデータファイルを特定するための情報としてファイル名を用いる場合について説明を行ったが、本発明はこれに限定するものではない。例えば、オリジナルＡＶデータファイル格納手段に格納されているＡＶデータファイルに予めＩＤを付けておき、記録媒体の管理情報でＩＤとＡＶデータ特定情報を関連付けて管理しておく場合等にも適用できる。
【産業上の利用可能性】
【００８１】
本発明は、ＡＶプレーヤ機能とカメラ機能を有するＡＶ複合機等におけるＡＶデータ記録再生装置およびＡＶデータ記録再生方法として有用である。
【図面の簡単な説明】
【００８２】
【図１】本発明の実施の形態１におけるＡＶデータ記録再生装置のブロック図
【図２】本発明の実施の形態１における記録媒体の一記録状態の説明図
【図３】本発明の実施の形態１における記録媒体の一記録状態の説明図
【図４】本発明の実施の形態１における記録媒体の一記録状態の説明図
【図５】本発明の実施の形態２におけるＡＶデータ記録再生装置のブロック図
【図６】本発明の実施の形態２における記録媒体の一記録状態の説明図
【図７】本発明の実施の形態２における記録媒体の一記録状態の説明図
【図８】本発明の実施の形態３におけるＡＶデータ記録再生装置のブロック図
【符号の説明】
【００８３】
１００  記録媒体
１０１  撮像手段
１０２  画像データ処理手段
１０３，５０２  記録再生処理手段
１０４，５０３，８０３  管理情報処理手段
５０１，８０１  オリジナルＡＶデータファイル格納手段
８００  第１のＡＶデータ記録再生装置
８０２，８０５  デジタルＩＦ手段
８０４  第２のＡＶデータ記録再生装置
【図１】
2006254168.tif 000008
【図２】
2006254168.tif 000009
【図３】
2006254168.tif 000010
【図４】
2006254168.tif 000011
【図５】
2006254168.tif 000012
【図６】
2006254168.tif 000013
【図７】
2006254168.tif 000014
【図８】
2006254168.tif 000015